(57)【特許請求の範囲】
【請求項１】
有頂筒状に一体に形成された容器本体と、
この容器本体の頂壁部を覆い、かつ容器軸回りに回転可能に装着された蓋体と、
前記容器本体の底部開口を閉塞する底蓋と、を備え、
前記容器本体の頂壁部には、この容器本体の内容物を振り出すための振り出し口が形成され、
前記蓋体の天壁部において容器本体の頂壁部上に当接する部分には、破断可能な弱化ラインで区画された挿通孔形成領域がこの天壁部から分離可能に一つ形成され、
前記振り出し口は、容器本体の頂壁部において容器軸回りに間隔をあけた複数個所に形成され、各箇所に形成された振り出し口の大きさが互いに異なっており、
前記蓋体の天壁部は、前記容器本体の頂壁部の上方に配置されるとともに、その上面に窪み部が形成され、この窪み部の底壁における下面が前記頂壁部の上面に当接し、前記弱化ラインおよび前記挿通孔形成領域は、前記窪み部の底壁に形成されていることを特徴とする振り出し容器。
【請求項２】
請求項１記載の振り出し容器であって、
前記容器本体の頂壁部は、容器軸方向の外側に向けて膨出したドーム状に形成されていることを特徴とする振り出し容器。
【発明の詳細な説明】
【技術分野】
【０００１】
本発明は、例えば粉状あるいは顆粒状の内容物が収容され、振る動作によって内容物が振り出し口から振り出される振り出し容器に関するものである。
【背景技術】
【０００２】
この種の振り出し容器として、例えば下記特許文献１に示されるように、有底筒状の容器本体と、この容器本体の開口部に装着されたヒンジキャップと、が備えられ、このヒンジキャップは、振り出し口が形成された天壁部と、この天壁部にヒンジ部を介して連結されこのヒンジ部回りに回動可能に設けられた蓋体と、を備える構成が知られている。
この振り出し容器においては、蓋体をヒンジ部回りに容器軸方向の外側に向けて回動させて振り出し口を開口させ、かつこの容器を下向きあるいは横向きにした状態で、容器を繰り返し振ることで、振り出し口から容器本体内の内容物が振り出されるようになっている。
【特許文献１】特開２００６−８１５１号公報
【発明の開示】
【発明が解決しようとする課題】
【０００３】
しかしながら、前記従来の振り出し容器では、例えば内容物を振り出している最中に、蓋体が不用意に振り出し口を塞ぐ方向に回動してしまうことがあり、操作性に優れた振り出し容器が要望されている。
【０００４】
本発明は、このような事情を考慮してなされたもので、操作性に優れた振り出し容器を提供することを目的とする。
【課題を解決するための手段】
【０００５】
上記課題を解決して、このような目的を達成するために、本発明の振り出し容器は、有頂筒状に一体に形成された容器本体と、この容器本体の頂壁部を覆い、かつ容器軸回りに回転可能に装着された蓋体と、前記容器本体の底部開口を閉塞する底蓋と、を備え、前記容器本体の頂壁部には、この容器本体の内容物を振り出すための振り出し口が形成され、前記蓋体の天壁部において容器本体の頂壁部上に当接する部分には、破断可能な弱化ラインで区画された挿通孔形成領域がこの天壁部から分離可能に一つ形成され、前記振り出し口は、容器本体の頂壁部において容器軸回りに間隔をあけた複数個所に形成され、各箇所に形成された振り出し口の大きさが互いに異なっており、前記蓋体の天壁部は、前記容器本体の頂壁部の上方に配置されるとともに、その上面に窪み部が形成され、この窪み部の底壁における下面が前記頂壁部の上面に当接し、前記弱化ラインおよび前記挿通孔形成領域は、前記窪み部の底壁に形成されていることを特徴とする。
【０００６】
この発明では、振り出し容器の使用に際し、まず弱化ラインを破断し挿通孔形成領域を蓋体の天壁部から除去して挿通孔を開口させ、その後、蓋体を容器本体に対して容器軸回りに回転させ、挿通孔を頂壁部における振り出し口の形成位置にあわせてこれらを互いに連通させ、かつこの容器を下向きあるいは横向きにした状態で、容器を繰り返し振ることで、振り出し口から容器本体内の内容物が振り出される。
すなわち、蓋体を容器本体に対して容器軸回りに回転させることで、挿通孔と振り出し口とを連通させるようになっているので、前述した従来の振り出し容器と比べて、内容物を振り出している最中に蓋体が容器本体に対して動くのを抑制することが可能になり、この容器に優れた操作性を具備させることができる。
さらに、容器本体が有頂筒状に一体に形成されているので、容器本体において振り出し口が形成された頂壁部側の部分に高い密封性を具備させることが可能になるとともに、内容物を振り出しているとき等に前記頂壁部が容器本体から外れたり、あるいはこの容器を繰り返し使用する過程で、容器本体の胴部と頂壁部との間から内容物が漏出し易くなったりするのも防止することができる。
また、このように容器本体が有頂筒状に一体に形成されているので、蓋体を容器本体に対して容器軸回りに回転させたときに、前記頂壁部が共回りするのを防ぐことが可能になる。したがって、蓋体の天壁部から挿通孔形成領域を除去することで開口させた挿通孔を、頂壁部における振り出し口の形成位置に容易にあわせることが可能になるとともに、頂壁部が蓋体の回転に伴って共回りするのを防止するための手段を特に設ける必要がないためこの振り出し容器の製造コストを抑えることもできる。
さらに、蓋体の天壁部に、挿通孔形成領域がこの天壁部から分離可能に形成されているので、店頭で購入者が視認によりこの容器が未開封であるか否かを判断することが可能になる、いわゆるバージン機能をこの振り出し容器に具備させることができる。また、このように蓋体の天壁部に挿通孔形成領域が形成されていることから、容器本体内に内容物を収容して蓋体および底蓋を容器本体に装着した後に、例えば蓋体に挿通孔を閉塞するシール材を貼り付ける等しなくてもよいので、この容器の組立て時間を短縮することができる。
また、振り出し口が、容器本体の頂壁部において容器軸回りに間隔をあけた複数個所に形成され、各箇所に形成された振り出し口の大きさが互いに異なっているので、内容物を振り出す量に応じて、内容物を振り出す振り出し口を適宜選択することが可能になり、この容器の取り扱い性を向上することができる。
【０００７】
ここで、前記容器本体の頂壁部は、容器軸方向の外側に向けて膨出したドーム状に形成されてもよい。
この場合、容器本体の頂壁部が、容器軸方向の外側に向けて膨出したドーム状に形成されているので、この容器を下向きあるいは横向きにしたときに、容器本体内の内容物が頂壁部の内部に導入されることで、この内容物を振り出し口の周囲に集め易くすることが可能になり、少ない振り出し操作でも内容物を確実に振り出し口から振り出すことができる。
【発明の効果】
【０００９】
この発明に係る振り出し容器によれば、優れた操作性および密封性を具備させることができる。
【発明を実施するための最良の形態】
【００１０】
以下、図面を参照し、この発明の参考例の実施の形態について説明する。本実施形態に係る振り出し容器１０は、有頂筒状に一体に形成された容器本体１１と、この容器本体１１の頂壁部１２を覆い、かつ後述する容器軸Ｏ回りに回転可能に装着された蓋体１３と、容器本体１１の底部開口１１ａを閉塞する底蓋１４と、を備えている。
図示の例では、容器本体１１、蓋体１３および底蓋１４は有頂円筒状に形成され、それぞれの中心軸線が共通軸上に位置させられた状態で組み立てられて振り出し容器１０が構成されている。以下、前記共通軸を容器軸Ｏといい、容器軸Ｏ方向に沿って蓋体１３側を上側、底蓋１４側を下側という。
【００１１】
容器本体１１は、内容物を振り出すための振り出し口１９、２０が形成された頂壁部１２と、この頂壁部１２の下側に配置され下方に向けて延設された胴部１７と、頂壁部１２の外周縁部と胴部１７の上端とを連結する装着筒１８と、を備え、これら１２、１７、１８が一体に形成されている。なお、胴部１７は、頂壁部１２および装着筒１８よりも大径になっている。
【００１２】
頂壁部１２は、上方に向けて膨出したドーム状に形成されている。これにより頂壁部１２および装着筒１８の内部は半球形状のドーム空間Ａとなっている。また、振り出し口１９、２０は、このドーム空間Ａ内に開口している。
ここで、振り出し口１９、２０は、頂壁部１２において容器軸Ｏ回りに間隔をあけた複数個所に形成され、各箇所に形成された振り出し口１９、２０の大きさが互いに異なっている。図示の例では、各振り出し口１９、２０は、図３に示されるように、頂壁部１２において容器軸Ｏを径方向で挟む互いに反対となる各位置に形成されている。なお、振り出し口１９、２０は、頂壁部１２においてその径方向中央部と外周縁部との間に位置する部分に形成されている。
【００１３】
また、これらの振り出し口１９、２０のうちの一方は、この容器１０の上面視で、径方向に沿って平行に延びる短軸を有する楕円形状の振り出し口１９とされ、他方は、頂壁部１２において容器軸Ｏに対して一方の振り出し口１９の反対側に位置する部分における所定領域内に多数形成された小径の振り出し口２０となっている。なお、頂壁部１２の上面視において、前記所定領域と一方の振り出し口１９とは互いに同形同大となっている。
【００１４】
ここで、図１に示されるように、容器本体１１の底部開口１１ａ、つまり胴部１７の下端開口における内周面および底蓋１４の外周面にはそれぞれ凹凸部１４ａ、１７ａが形成されており、これらの凹凸部１４ａ、１７ａが互いにかみ合うことで、底蓋１４が容器本体１１の底部開口１１ａ内に固定されている。なお、底蓋１４の、容器本体１１の底部開口１１ａへの固定は、図示の例に限らず例えば、螺合、アンダーカット嵌合若しくは接着等にしてもよい。
【００１５】
装着筒１８は、図２に示されるように、頂壁部１２の外周縁部に連結された小径部２１と、小径部２１の下端と胴部１７の上端とを連結する大径部２２と、を備えている。
本実施形態では、大径部２２に、図１および図２の二点鎖線で示されるように、蓋体１３を覆うオーバーキャップ１６が着脱可能に装着されている。このオーバーキャップ１６は透明若しくは半透明の材質で形成されている。
また、図示の例では、大径部２２の外周面には第１突起２２ａが形成されるとともに、オーバーキャップ１６の内周面には第２突起１６ａが形成されている。そして、オーバーキャップ１６は、第２突起１６ａが第１突起２２ａを下側に乗り越えてオーバーキャップ１６内に大径部２２がアンダーカット嵌合されることにより、容器本体１１に着脱可能に装着されている。なお、オーバーキャップ１６の容器本体１１への装着は、図示の例に限らず例えば、螺合等にしてもよい。
【００１６】
蓋体１３は、頂壁部１２上に配置された天壁部２３と、この天壁部２３の外周縁部に下方に向けて延設されて内部に装着筒１８の小径部２１が容器軸Ｏ回りに回転可能に嵌合される嵌合筒２４と、を備え、これら２３、２４が一体に形成されている。
嵌合筒２４の内周面には第３突部２４ａが形成されるとともに、装着筒１８の小径部２１における外周面には第４突部２１ａが形成されている。そして、蓋体１３は、第３突部２４ａが第４突部２１ａを下側に乗り越えて嵌合筒２４内に装着筒１８の小径部２１がアンダーカット嵌合されることにより、容器本体１１に容器軸Ｏ回りに回転可能に装着されている。
【００１７】
天壁部２３は、頂壁部１２の上面形状に沿って上方に向けて膨出したドーム状に形成されており、この天壁部２３の下面が全域にわたって頂壁部１２の上面に当接している。また、天壁部２３には、破断可能な弱化ライン２５で区画された挿通孔形成領域２６がこの天壁部２３から分離可能に形成されている。弱化ライン２５および挿通孔形成領域２６は、この容器１０の上面視で、容器本体１１の頂壁部１２に形成された前記一方の振り出し口１９および前記所定領域とほぼ同形同大の楕円形状を呈している。また、弱化ライン２５は、図２に示されるように、縦断面視Ｖ字状の環状溝とされて天壁部２３の中で最も厚さが薄い部分となっている。さらに、挿通孔形成領域２６は、天壁部２３に１つ区画されている。
【００１８】
また、挿通孔形成領域２６内の外周縁部において、この領域２６が呈する楕円形状の長軸方向における一端部にプルリング２７が突設されている。なお、このプルリング２７は、図１に示されるように、挿通孔形成領域２６の径方向内側に位置している。
さらに、本実施形態では、天壁部２３の上面に上方に向けて摘み部２８が突設されている。図示の例では、摘み部２８は、天壁部２３の径方向のうち、挿通孔形成領域２６における前記長軸方向に沿って平行に延在している。また、摘み部２８は図２に示されるように中空に形成されるとともに、上方に向かうに従い漸次幅が狭くなっている。さらに、この摘み部２８の上端面は、ドーム状に形成された天壁部２３の上面形状に沿って上方に向けて凸の曲面状に形成されている。なお、摘み部２８は図示の例に代えて中実に形成してもよい。
【００１９】
次に、以上のように構成された振り出し容器１０を使用する方法について説明する。
まず、プルリング２７を引き上げて弱化ライン２５を破断し、このプルリング２７とともに挿通孔形成領域２６を蓋体１３の天壁部２３から除去して、図３に示されるように挿通孔２９を開口させる。その後、摘み部２８を摘んで蓋体１３を容器本体１１に対して容器軸Ｏ回りに回転させ、挿通孔２９を頂壁部１２における前記一方の振り出し口１９の形成位置、若しくは小径の振り出し口２０が形成された前記所定領域にあわせて互いに連通させる。図示の例では、挿通孔２９は、小径の振り出し口２０が形成された前記所定領域にあわされており、前記一方の振り出し口１９は、蓋体１３の天壁部２３において挿通孔２９の非形成部分により閉塞されている。
そして、振り出し容器１０を下向きあるいは横向きにした状態で、この容器１０を繰り返し振ることで、小径の振り出し口２０から容器本体１１内の内容物が振り出される。
【００２０】
以上説明したように本実施形態に係る振り出し容器１０によれば、蓋体１３を容器本体１１に対して容器軸Ｏ回りに回転させることで、挿通孔２９と振り出し口１９、２０とを連通させるようになっているので、前述した従来の振り出し容器と比べて、内容物を振り出している最中に蓋体１３が容器本体１１に対して動くのを抑制することが可能になり、この容器１０に優れた操作性を具備させることができる。
さらに、容器本体１１が有頂筒状に一体に形成されているので、容器本体１１において振り出し口１９、２０が形成された頂壁部１２側の部分に高い密封性を具備させることが可能になるとともに、内容物を振り出しているとき等に頂壁部１２が容器本体１１から外れたり、あるいはこの容器１０を繰り返し使用する過程で、容器本体１１の胴部１７と頂壁部１２との間から内容物が漏出し易くなったりするのも防止することができる。
【００２１】
また、このように容器本体１１が有頂筒状に一体に形成されているので、蓋体１３を容器本体１１に対して容器軸Ｏ回りに回転させたときに、頂壁部１２が共回りするのを防ぐことが可能になる。したがって、蓋体１３の天壁部２３から挿通孔形成領域２６を除去することで開口させた挿通孔２９を、頂壁部１２における振り出し口１９、２０の形成位置に容易にあわせることが可能になるとともに、頂壁部１２が蓋体１３の回転に伴って共回りするのを防止するための手段を特に設ける必要がないためこの振り出し容器１０の製造コストを抑えることもできる。
【００２２】
さらに、蓋体１３の天壁部２３に、この天壁部２３から分離可能な挿通孔形成領域２６が形成されているので、店頭で購入者が視認によりこの容器１０が未開封であるか否かを判断することが可能になる、いわゆるバージン機能をこの振り出し容器１０に具備させることができる。
本実施形態では、蓋体１３を覆うオーバーキャップ１６が透明若しくは半透明の材質で形成されて、このキャップ１６の外側から蓋体１３を目視できるようになっているので、購入者が店頭でオーバーキャップ１６を容器本体１１から取り外さなくても、振り出し容器１０が未開封であるか否かを判断することが可能になり、この容器１０に優れたバージン機能を具備させることができる。
【００２３】
また、このように蓋体１３の天壁部２３に挿通孔形成領域２６が形成されていることから、容器本体１１内に内容物を収容して蓋体１３および底蓋１４を容器本体１１に装着した後に、例えば蓋体１３に挿通孔２９を閉塞するシール材を貼り付ける等しなくてもよいので、この容器１０の組立て時間を短縮することができる。
しかも、この振り出し容器１０が前述のようにして使用されることから、振り出し容器１０に前述の作用効果を具備させたことにより、この容器１０の操作性が低下するのを防止することができる。
【００２４】
また、本実施形態では、容器本体１１の頂壁部１２が、容器軸Ｏ方向の外側に向けて膨出したドーム状に形成されているので、この容器１０を下向きあるいは横向きにしたときに、容器本体１１内の内容物が前記ドーム空間Ａ内に導入されることで、この内容物を振り出し口１９、２０の周囲に集め易くすることが可能になり、少ない振り出し操作でも内容物を確実に振り出し口１９、２０から振り出すことができる。
【００２５】
さらに、本実施形態では、振り出し口１９、２０が、容器本体１１の頂壁部１２において容器軸Ｏ回りに間隔をあけた複数個所に形成され、各箇所に形成された振り出し口１９、２０の大きさが互いに異なっているので、内容物を振り出す量に応じて、内容物を振り出す振り出し口１９、２０を適宜選択することが可能になり、この容器１０の取り扱い性を向上することができる。
【００２６】
また、本実施形態では、頂壁部１２において容器軸Ｏ回りに間隔をあけた２箇所に振り出し口１９、２０が形成される一方、蓋体１３の天壁部２３には挿通孔２９が１つ形成されて、前記２箇所に形成された振り出し口１９、２０のうちの一方に、蓋体１３の挿通孔２９をあわせると、他方の振り出し口１９、２０は、蓋体１３の天壁部２３において挿通孔２９の非形成部分により閉塞されることになる。したがって、内容物を振り出し口１９、２０から振り出すときに、前記２箇所に形成された振り出し口１９、２０のうち、蓋体１３の天壁部２３で閉塞された振り出し口１９、２０から内容物が振り出されるのを防いで、挿通孔２９に連通した振り出し口１９、２０のみから内容物を振り出すことが可能になる。これにより、内容物を所望の量だけ正確に振り出すことができる。
【００２７】
また、本実施形態では、蓋体１３の天壁部２３に摘み部２８が突設されているので、この摘み部２８を摘んで蓋体１３を前述のように容器軸Ｏ回りに回転させることが可能になり、挿通孔２９を頂壁部１２における振り出し口１９、２０の形成位置に容易にあわせることができる。
【００２８】
なお、本発明の技術的範囲は前記実施の形態に限定されるものではなく、本発明の趣旨を逸脱しない範囲において種々の変更を加えることが可能である。
例えば、前記実施形態では、蓋体１３の天壁部２３に、挿通孔形成領域２６を１つ形成したが、複数形成してもよい。
また、前記実施形態では、オーバーキャップ１６、プルリング２７および摘み部２８を設けたが、これらを有しない振り出し容器を採用してもよい。なお、摘み部２８を設けずに、蓋体１３の嵌合筒２４における外周面に例えばローレット形状等の粗面加工部を形成してもよい。
さらに、前記実施形態では、オーバーキャップ１６を透明若しくは半透明の材質で形成したが、これに限らずこのキャップ１６の内側が外側から視認不能な有色の材質で形成してもよい。
【００２９】
また、前記実施形態では、容器本体１１の頂壁部１２をドーム状に形成したが、これに代えて例えば容器軸Ｏ方向に直交する方向に延びる平坦状に形成してもよい。
さらに、前記実施形態では、振り出し口１９、２０を、容器本体１１の頂壁部１２において容器軸Ｏ回りに間隔をあけた２箇所に形成したが、１箇所あるいは３箇所以上に形成してもよい。
【００３０】
次に、この発明の実施の形態について図４から図６に基づいて説明するが、前記実施形態と同一の部位には同一の符号を付してその説明は省略し、異なる点についてのみ説明する。
【００３１】
この振り出し容器３０の蓋体３１における天壁部３２は、容器本体１１の頂壁部１２の上方に配置されるとともに、その上面に窪み部３２ａが形成され、この窪み部３２ａの底壁における下面が頂壁部１２の上面に当接している。図示の例では、窪み部３２ａは、天壁部３２において容器軸Ｏを径方向で挟む互いに反対となる各位置に形成されている。また、窪み部３２ａの上面視形状は、弱化ライン２５および挿通孔形成領域２６の上面視形状とほぼ同じになっており、窪み部３２ａの方が弱化ライン２５よりも若干大きくなっている。さらに、弱化ライン２５および挿通孔形成領域２６は、二つの窪み部３２ａのうちの一方に形成されている。また、これらの窪み部３２ａは互いに繋がっておらず、各窪み部３２ａの底壁における上面はその全周にわたって径方向外方から壁面３３により囲繞されている。そして、天壁部３２において窪み部３２ａ同士の間に位置する部分が、摘み部３４となっている。
オーバーキャップ１６の内面は、蓋体３１の天壁部３２における上面の全域に当接し、天壁部３２における窪み部３２ａの開口端縁が全周にわたってオーバーキャップ１６の内面により閉塞されている。さらに本実施形態では、オーバーキャップ１６の内面は、蓋体３１の嵌合筒２４における外周面にも全域にわたって当接している。
【００３２】
以上説明したように本実施形態に係る振り出し容器３０によれば、オーバーキャップ１６の内面が、蓋体３１の天壁部３２における上面の全域に当接し、天壁部３２における窪み部３２ａの開口端縁が全周にわたってオーバーキャップ１６の内面により閉塞されているので、容器本体１１内の内容物が、例えば流通過程等で振り出し口１９、２０を通して容器本体１１の外側に漏出しても、この内容物がオーバーキャップ１６の外側に漏出するのを防ぐことができる。
【産業上の利用可能性】
【００３３】
優れた操作性および密封性を具備させることができる。
【図面の簡単な説明】
【００３４】
【図１】本発明に係る参考例の実施形態として示した振り出し容器の一部縦断面図である。
【図２】図１に示す振り出し容器のＸ−Ｘ線矢視断面図である。
【図３】図１および図２に示す振り出し容器において、挿通孔形成領域を蓋体から除去して挿通孔を開口させ、かつこの挿通孔を小径の振り出し口が多数形成された領域にあわせた状態を示す上面図である。
【図４】本発明に係る実施形態として示した振り出し容器の一部縦断面図である。
【図５】図４に示す振り出し容器のＹ−Ｙ線矢視断面図である。
【図６】図４および図５に示す振り出し容器において、挿通孔形成領域を蓋体から除去して挿通孔を開口させ、かつこの挿通孔を小径の振り出し口が多数形成された領域にあわせた状態を示す上面図である。
【符号の説明】
【００３５】
１０、３０  振り出し容器
１１  容器本体
１１ａ  底部開口
１２  頂壁部
１３、３１  蓋体
１４  底蓋
１９、２０  振り出し口
２３、３２  天壁部
２５  弱化ライン
２６  挿通孔形成領域
２８  摘み部
Ｏ  容器軸
【図１】
0005498665.tif 000002
【図２】
0005498665.tif 000003
【図３】
0005498665.tif 000004
【図４】
0005498665.tif 000005
【図５】
0005498665.tif 000006
【図６】
0005498665.tif 000007